(57)【特許請求の範囲】
【請求項１】
複数階からなる建築物の最下階の上方に位置する上階の室内に設置される水廻り器具からの排水を水平方向に排水し、前記上階の下部を構成する第１のスラブの上部に設置される第１の横引き管と、
前記上階の室外に配置され、前記第１の横引き管に連通されて前記第１の横引き管からの前記排水を下方に落下させて排水する第１の竪管と、
前記最下階の室内に設置される水廻り器具からの排水を水平方向に流し、前記第１の横引き管よりも短い第２の横引き管が上部に配置され、前記第２の横引き管に連通されて前記第２の横引き管からの前記排水を下方に落下させて排出してサイホン力を発生させ、かつ前記第１の竪管よりも短く設定された第２の竪管を貫通可能とする貫通可能部が設けられ、前記最下階の下部を構成する第２のスラブと、
を備えた建築物構造。
【請求項２】
請求項１に記載の建築物構造と、
前記第２の横引き管と、
室外、及び前記貫通可能部の少なくとも一方に配置されている前記第２の竪管と、
を備えた排水構造。
【請求項３】
前記第２の竪管と前記第２の横引き管との間に、前記第２の横引き管の水平方向の向きを変更可能とする向き変更部が設けられている、請求項２に記載の排水構造。
【発明の詳細な説明】
【技術分野】
【０００１】
本発明は、建築物構造、及び排水構造に関する。
【背景技術】
【０００２】
近年、従来の勾配排水システムに代わるものとして、所謂サイホン排水システムが提案されている（例えば、特許文献１参照）。サイホン排水システムは、特許文献１に記載されるように、水廻り器具にサイホン排水管を接続し、サイホン排水管の垂下部をなす竪管にて発生するサイホン力（負圧力）を利用して、水廻り器具からの排水効率を向上させるシステムである。
【０００３】
このサイホン排水システムにおいては、水廻り器具から排出された排水はサイホン排水管に流入し、サイホン排水管の水平部をなす横引き管及びサイホン排水管の垂下部をなす竪管を満たす。サイホン排水管の竪管が排水で満たされると、竪管内の排水は重力により落下し、竪管の内部に竪管における水頭差に対応する吸引力、即ちサイホン力が発生する。横引き管内の排水は、前記サイホン力によって竪管に向かって吸引され、サイホン排水管内が排水で満たされる所謂満流流れとなってサイホン排水管内を流下する。
【０００４】
複数階の集合住宅においては、水廻り器具が居住階の専有スペースに設置されている。集合住宅におけるサイホン排水システムでは、水廻り器具からの排水は、例えば、専有スペースの下側のスラブ上に配設された横引き管を通過した後、室外の共有スペースであるパイプスペースのスラブに形成された貫通孔から下階のスラブ付近まで垂下された竪管を通過して立て管に排出される。
【先行技術文献】
【特許文献】
【０００５】
【特許文献１】特開２００８−６３７６３号公報
【発明の概要】
【発明が解決しようとする課題】
【０００６】
サイホン排水システムでは、竪管における水頭差に相当する竪管の長さ、及び横引き管の長さによって、一定時間当たりの流量が決まる。竪管の長さが長くなればサイホン力が大きくなるので一定時間当たりの流量は大きくなり、横引き管の長さが長くなると抵抗が大きくなって一定時間当たりの流量が低下する。仮に、竪管の長さを上下階のスラブの間隔と同等に設定すれば、一般的な集合住宅においては、水廻り器具が部屋のどの位置にあっても、一定時間当たりの流量は確保可能である。また、竪管の配置される箇所は、パイプスペースであるため、竪管を更に長くすることも可能である。このため、２階以上の居住階においては、新築時において、水廻り器具を室内の所望の位置に配置できるフリープランが可能であり、リニューアル時においても、フリープランが可能である。
【０００７】
一方、複数階の集合住宅においては、１階等の最下居住階の下側に、地下ピットが設けられている。地下ピットは、上下方向の寸法が居住階に比較して低いため、２階以上の居住階の様に十分な長さの竪管を用いることができない。このため、従来では、最下居住階においては、サイホン排水システムを用いず、従来一般の集合住宅と同様に、スラブ上に勾配配管に配設し、勾配配管に水廻り器具からの排水を流す勾配排水システムを適用することが考えられており、フリープランが可能であった。
【０００８】
このため、最下居住階を勾配排水システム、その上階をサイホン排水システムとした集合住宅は、新築時においては、全てのフロアでフリープランの対応が可能であった。
【０００９】
ところで、全フロアにサイホン排水システムを適用しようとすると、前述した様に、最下居住階においては、スラブの下側が地下ピットとなっているため、竪管の長さが２階以上の居住階の様に長くすることができない。サイホン排水システムでは、竪管の長さによって一定時間当たりの流量が決まるため、例えば、竪管の長さを上階の様に十分に確保できない場合、上階の竪管を用いた場合と同様の一定時間当たりの流量を確保するには、排水時の抵抗を少なくするために、横引き管の長さを上階のものに比較して短くする必要がある。
【００１０】
このため、新築時では、例えば、室外のパイプスペースやメーターボックス等に配置された竪管からの距離が短い範囲内では、所望の一定時間当たりの流量、即ち、２階以上の階と同等の一定時間当たりの流量を確保しつつ、水廻り器具の自由なレイアウト、即ちフリープランは有る程度は可能であった。なお、竪管は、建物の中に配置される場合以外に、建物の外側、例えば外壁に沿って配置される場合もある。
【００１１】
しかしながら、全フロアにサイホン排水システムを導入した集合住宅において、最下居住階をリニューアルして室外のパイプスペースに配置された竪管から遠く離れた位置に水廻り器具を配置しようとすると、竪管が短く、かつ横引き管が長くなってしまうので一定時間当たりの流量が不足する問題が生じる。したがって、最下居住階をリニューアルする場合、水廻り器具の配置に制限があり、フリープランが実現できなかった。
【００１２】
本発明は上記事実を考慮し、複数階からなる建築物の最下階において、水廻り器具を所望の位置に配置可能なフリープランを実現可能とする建築物構造、及び排水構造を提供することを目的とする。
【課題を解決するための手段】
【００１３】
請求項１に記載の建築物構造は、複数階からなる建築物の最下階の上方に位置する上階の室内に設置される水廻り器具からの排水を水平方向に排水し、前記上階の下部を構成する第１のスラブの上部に設置される第１の横引き管と、前記上階の室外に配置され、前記第１の横引き管に連通されて前記第１の横引き管からの前記排水を下方に落下させて排水する第１の竪管と、前記最下階の室内に設置される水廻り器具からの排水を水平方向に流し、前記第１の横引き管よりも短い第２の横引き管が上部に配置され、前記第２の横引き管に連通されて前記第２の横引き管からの前記排水を下方に落下させて排出してサイホン力を発生させ、かつ前記第１の竪管よりも短く設定された第２の竪管を貫通可能とする貫通可能部が設けられ、前記最下階の下部を構成する第２のスラブと、を備えている。
【００１４】
請求項１に記載の建築物構造では、最下階の下部を構成する第２のスラブに貫通可能部が設けられている。このため、この貫通可能部に、第２のスラブの上部に設置される第２の横引き管に連通されて、第２の横引き管からの排水を下方に落下させて排出する第２の竪管を貫通させることができる。
【００１５】
最下階の上方に位置する上階においては、上階の下部を構成する第１のスラブの上部に、上階の室内に設置される水廻り器具からの排水を水平方向に排水する第１の横引き管が設置されており、上階の室外には、第１の横引き管に連通されて第１の横引き管からの排水を下方に落下させて排水する第１の竪管が配置されている。
【００１６】
上階の室内に設置される水廻り器具からの排水は、第１の横引き管、及び第１の竪管を流れる。ここで、第１の竪管が排水で満たされると、第１の竪管内の排水は重力により落下し、第１の竪管の内部に第１の竪管における水頭差に対応する吸引力、即ちサイホン力が発生する。サイホン力が発生すると、第１の横引き管内の排水は、サイホン力によって第１の竪管に向かって吸引され、第１の横引き管、及び第１の竪管内が排水で満たされる所謂満流となって第１の横引き管、及び第１の竪管内を流下する。また、第１の横引き管、及び第１の竪管の一定時間当たりの流量は、第１の竪管の長さ、及び第１横引き管の長さ、即ち、第１の竪管で得られるサイホン力と、第１の横引き管の流路の抵抗とで決めることができる。
【００１７】
ここで、第１の竪管の長さを、第１の竪管の配置されている位置から、第１の横引き管の配置されている上階における最も遠い部分に配置される水廻り器具の排水を効率的に排出可能な長さに設定することで、第１の横引き管の配置されている上階においては、水廻り器具を上階のどの位置に配置しても効率的な排水を行うことができ、水廻り器具の配置位置に制限が無くなる。即ち、最下階の上方に位置する上階においては、水廻り器具の配置位置が自由となるフリープランが可能となる。
【００１８】
上階の水廻り器具からの排水を流す第１の竪管は、室外に設けられているため、所望のサイホン力を発生させるために必要とされる長さを最下階に関係なく確保することができる。しかしながら、最下階の下方、即ち、第２のスラブの下方、及び室外の下方に、上階の第１の竪管の長さと同様な上下方向の長さ、即ち、高さを有するスペースを設けることが困難であるため、上階と比較して第２の竪管の長さが短くなり、サイホン力が弱くなる。したがって、最下階において上階と同様な一定時間当たりの流量を得るには、第２の横引き管の長さを上階の第１の横引き管に比較して短くして抵抗を小さくせざるを得ない。第２の横引き管の長さを上階の第１の横引き管に比較して短くすると、水廻り器具の配置が自由に出来なくなる。  
【００１９】
請求項１に記載の建築物構造では、第２の竪管によるサイホン力が上階の第１の竪管によるサイホン力よりも弱くても、最下階の第２のスラブに第２の竪管を貫通する貫通可能部を設けているため、貫通可能部に第２の竪管を貫通し、最下階の所望の位置に配置した水廻り器具とを上階の第１の横引き管よりも短くて第１の横引き管よりも抵抗の小さな第２の横引き管で連結することができ、第２の竪管と第２の横引き管とで上階と同様な一定時間当たりの流量を得ることが可能となる。したがって、最下階においても、水廻り器具の配置位置が自由となるフリープランが可能となる。  
【００２０】
請求項２に記載の排水構造は、請求項１に記載の建築物構造と、前記第２の横引き管と、室外、及び前記貫通可能部の少なくとも一方に配置されている前記第２の竪管と、を備えている。
【００２１】
第２の竪管が、室外に配置されている場合には、水廻り器具からの排水は、第２の横引き管、及び室外に設けられた第２の竪管を介して、例えば、室外の排水管等に排出することができる。
【００２２】
一方、第２の竪管が、貫通可能部に配置されている場合には、水廻り器具からの排水は、第２の横引き管、及貫通可能部を貫通した第２の竪管を介して、例えば、第２のスラブの下方に設置された排水管等に排出することができる。
【００２３】
なお、請求項２に記載の排水構造は、室外に配置された第２の竪管と、貫通可能部を貫通させた第２の竪管の両方を備えていても良い。
【００２４】
請求項３に記載の発明は、請求項２に記載の排水構造において、前記第２の竪管と前記第２の横引き管との間に、前記第２の横引き管の水平方向の向きを変更可能とする向き変更部が設けられている。
【００２５】
請求項３に記載の排水構造では、第２の竪管と第２の横引き管との間に、第２の横引き管の水平方向の向きを変更可能とする向き変更部が設けられているため、第２の横引き管を曲げることなく、第２の横引き管の水平方向の向きを自由に変更することができる。
【発明の効果】
【００２６】
以上説明したように本発明の建築物構造、及び排水構造によれば、複数階からなる建築物の最下階において、水廻り器具を所望の位置に配置可能なフリープランを実現可能となる。
【図面の簡単な説明】
【００２７】
【図１】本発明の第１の実施形態に係る建築物構造が適用された集合住宅を示す断面図である。
【図２】１階住戸を示す平面図である。
【図３】他の実施形態に係る１階住戸を示す平面図である。
【図４】閉塞された孔を示すスラブの断面図である。
【図５】第２の実施形態に係る建築物構造の要部を示す断面図である。
【図６】第３の実施形態に係る建築物構造の要部を示す断面図である。
【図７】第３の実施形態に係る建築構造物の１階住戸を示す平面図である。
【図８】他の実施形態に係る建築物構造が適用された集合住宅を示す断面図である。
【発明を実施するための形態】
【００２８】
［第１の実施形態］
図１、及び図２を用いて、本発明の第１の実施形態に係る建築物構造について説明する。図１には、コンクリート等で形成された躯体１０を有する複数階からなる集合住宅１２の共有スペースとしての地下ピット１４、１階の専有スペースとしての１階住戸１６、及び２階の専有スペースとしての２階住戸１８の一部、及び共有スペースとしてのパイプスペース（ＰＳ）２０が断面図にて示されている。この集合住宅１２には、各階の排水を行う排水構造１１が適用されている。
【００２９】
なお、集合住宅では、一般的に専有スペースと共用スペースとがある。一例として、専有スペースとは、集合住宅の一般的な区分所有の考えによる個々の住戸の居住者によって専有されるスペースのことであり、共用スペースとは、個々の住戸の居住者によって共用されるスペースのことである。
【００３０】
パイプスペース２０には、各階のパイプスペース２０のスラブ２２を貫通するように排水立て管２４が配設されている。排水立て管２４の中間部分には、パイプスペース２０のスラブ２２の上面付近に合流継手２６が設けられている。本実施形態では、合流継手２６の下端部分が、スラブ２２の孔２８に挿入されるように配置されている。なお、パイプスペース２０は、各住戸の室外となる。
【００３１】
地下ピット１４では、排水立て管２４の下端が、合流継手３０、継手３２を介して下水（図示せず）に繋がる排水横主管３４の端部に接続されている。また、地下ピット１４には、１階住戸１６の下側に排水管３６が新築時に予め配設されており、排水管３６の１階住戸１６側の端部には、継手３８が取り付けられている。本実施形態においては、継手３８の上端部が図示しないキャップで閉塞されている。一方、排水管３６のパイプスペース２０側の端部は、継手４０、継手４２等を介して排水横主管３４の中間部に接続されている。
【００３２】
１階住戸１６のスラブ２２の上には、間隔をあけて床パネル４４が配置されている。なお、１階住戸１６においては、床パネル４４の上側に壁パネル４６、及び天井パネル４８等が配置されている。なお、２階住戸１８、及び３階以上の住戸においても、１階住戸１６と同様の構成となっている。本実施形態では、１階住戸１６のスラブ２２に、後述するサイホン排水管７６の竪管７６Ｂを挿通させるための孔７８が新築時に予め形成されている。
【００３３】
本実施形態では、１階住戸１６において、パイプスペース２０寄りの床パネル４４又はスラブ２２の上に、水廻り器具５０が設置されている。水廻り器具５０は、排水を行う器具のことであり、例えば、台所流し、洗面台、洗濯機、ユニットバス等の風呂、トイレ等を挙げることができるが、他のものであっても良い。水廻り器具５０には、サイホン排水管５２の横引き管５２Ａが接続されている。この横引き管５２Ａは、１階住戸１６のパイプスペース２０側の間のコンクリート壁５６に形成された横孔５８を挿通してパイプスペース２０に到達している。サイホン排水管５２の竪管５２Ｂは、パイプスペース２０のスラブ２２に形成された縦孔６０を介して垂下され、地下ピット１４に配置された継手６２を介して排水立て管２４の下端に接続された合流継手３０に連結されている。なお、本実施形態では、１階住戸１６のサイホン排水管５２の横引き管５２Ａの長さがＬ１、竪管５２Ｂの長さがＨ１とされている。
【００３４】
また、２階住戸１８においては、床パネル４４の上に、水廻り器具６４が設置されている。水廻り器具６４には、サイホン排水管６６の横引き管６６Ａが接続されている。この横引き管６６Ａは、２階住戸１８のパイプスペース２０側の間のコンクリート壁５６に形成された横孔６８を挿通してパイプスペース２０に到達している。サイホン排水管６６の竪管６６Ｂは、２階のパイプスペース２０のスラブ２２に形成された縦孔７０を介して垂下され、１階のパイプスペース２０に配置された継手７２を介して排水立て管２４に接続された合流継手２６に連結されている。なお、本実施形態では、２階住戸１８（及び３階以上の住戸）のサイホン排水管６６の横引き管６６Ａの長さがＬ２、竪管６６Ｂの長さがＨ２とされている。
【００３５】
２階住戸１８では、竪管６６Ｂの配置されている位置（縦孔７０の位置）から、２階住戸１８の室内の最も遠い位置に配置した水廻り器具６４に向けて横引き管６６Ａを配置した場合でも、該水廻り器具６４の排水を、予め設定した一定時間当たりの最低の流量（下限値）を上回り、効率的に排出が可能なように、竪管６６Ｂの長さＨ２（竪管６６Ｂの水頭差に相当）が設定されている。
【００３６】
ここで、１階住戸１６のサイホン排水管５２の横引き管５２Ａの長さＬ１、竪管５２Ｂの長さＨ１、２階住戸１８のサイホン排水管６６の横引き管６６Ａの長さＬ２、竪管６６Ｂの長さＨ２の関係は、Ｈ１＜Ｈ２、Ｌ１＜ Ｌ２とされている。なお、１階住戸１６のサイホン排水管５２の一定時間当たりの流量が、２階住戸１８のサイホン排水管６６の予め設定した一定時間当たりの最低の流量（下限値）を上回るように（即ち、必要最低限の一定時間当たりの流量は得られるように）、横引き管５２Ａの長さＬ１、及び竪管５２Ｂの長さＨ１が設定されている。なお、竪管５２Ｂの長さＨ１は、地下ピット１４の高さ、及びスラブ２２の厚さに制限を受けるが、可能な限り長くとることが好ましい。
【００３７】
（作用、効果）
２階住戸１８の室内に設置される水廻り器具６４からの排水が、サイホン排水管６６の横引き管６６Ａ、及び竪管６６Ｂを流れ、竪管６６Ｂの一部が排水で満たされ所謂満流となると、竪管６６Ｂ内の排水は重力により落下し、竪管６６Ｂの内部に竪管６６Ｂにおける水頭差（竪管６６Ｂの長さＨ２に相当）に対応するサイホン力が発生する。
【００３８】
横引き管６６Ａ内の排水は、サイホン力によって竪管６６Ｂに向かって吸引され、横引き管６６Ａ、及び竪管６６Ｂ内が排水で満たされる満流流れとなって横引き管６６Ａ、及び竪管６６Ｂを流下し、水廻り器具６４からの排水が、排水立て管２４へ排出される。
【００３９】
２階住戸１８では、２階住戸１８の室内の最も遠い位置に配置した水廻り器具６４に向けて横引き管６６Ａを配置した場合でも、該水廻り器具６４からの排水の流量、即ち、２階住戸１８のサイホン排水管６６の予め設定した一定時間当たりの最低の流量（下限値）を上回るように、竪管６６Ｂの長さＨ２（竪管６６Ｂの水頭差に相当）が設定されているため、新築時、及びリニューアル時の何れの場合でも、水廻り器具６４を室内のどの位置にも配置することできる。即ち、２階住戸１８では、新築時、及びリニューアル時の何れの場合でもフリープランが実現できる。
【００４０】
一方、１階住戸１６において、室内に設置される水廻り器具５０からの排水がサイホン排水管５２の横引き管５２Ａ、及び竪管５２Ｂを流れ、竪管５２Ｂが排水で満たされると、竪管５２Ｂ内の排水は重力により落下し、横引き管５２Ａの内部に竪管５２Ｂにおける水頭差（竪管５２Ｂの長さＨ１に相当）に対応するサイホン力が発生する。
【００４１】
横引き管５２Ａ内の排水は、サイホン力によって竪管５２Ｂに向かって吸引され、横引き管５２Ａ、及び竪管５２Ｂ内が排水で満たされる満流流れとなって横引き管５２Ａ、及び竪管５２Ｂを流下し、水廻り器具５０からの排水が、排水立て管２４へ排出される。
【００４２】
１階住戸１６の竪管５２Ｂの長さＨ１は、２階住戸１８の竪管６６Ｂの長さＨ２よりも短いが、２階住戸１８の予め設定した一定時間当たりの最低の流量（下限値）を上回るように、横引き管５２Ａの長さＬ１が竪管５２Ｂの長さＨ１に応じて設定されているので、１階住戸１６も２階住戸１８と同様に効率的な排水が行われる。
【００４３】
ここで、１階住戸１６をリニューアルする際、新たな水廻り器具７４を、リニューアル前の水廻り器具５０とは異なる位置に配置することが考えられる（なお、リニューアル前の水廻り器具５０を用いて、位置を変更する場合も考えられる。）。図１の２点鎖線で示すように、新たな水廻り器具７４をパイプスペース２０から離れた位置に設置しようとした場合、横引き管５２Ａの長さＬ１を長くすれば設置自体は可能であるが、横引き管５２Ａの長さＬ１を長くすると横引き管５２Ａの抵抗が増え、１階住戸１６の一定時間当たりの流量が、２階住戸１８の予め設定した一定時間当たりの最低の流量（下限値）よりも低下してしまう。
【００４４】
このような場合には、新たなサイホン排水管７６を床下に設置し、新たなサイホン排水管７６の竪管７６Ｂを、新築時の１階住戸１６のスラブ２２に予め形成しておいた孔７８に通し、竪管７６Ｂの下端を新築時に予め配設しておいた排水管３６の継手３８に接続する。なお、竪管７６Ｂの長さＨ３は、地下ピット１４の高さに制限を受けるため、竪管５２Ｂの長さＨ１と同等に設定されている。また、サイホン排水管７６の横引き管７６Ａの長さＬ３は、リニューアル前のサイホン排水管５２と同様に、予め設定した一定時間当たりの最低の流量（下限値）は上回るように設定される。
【００４５】
本実施形態では、１階住戸１６の室内の何れの位置にも新たな水廻り器具７４を設置できるように、図２に示すように、長さＬ１の横引き管５２Ａ（図２では図示せず）が届かない範囲Ａ（右上がり斜線部分）を、長さＬ３の横引き管７６Ａ（図２では図示せず）がカバーできるように、竪管７６Ｂを通す孔７８の位置が室内の略中央部に形成されている。
【００４６】
このように、本実施形態の排水構造１１では、１階住戸１６のスラブ２２に、後から配置するサイホン排水管７６の竪管７６Ｂを通す孔７８が形成されているので、リニューアル時において、新たにサイホン排水管７６を設置すれば、新たな水廻り器具７４を室内の自由な位置に配置すること、即ち、フリープランが実現可能となる。因みに、孔７８から半径Ｌ３の円内であれば、新たな水廻り器具７４を設置できる。 
【００４７】
ところで、建築後のスラブ２２に、後加工で孔を形成することは、スラブの強度低下等を招く虞があるため好ましくない。本実施形態では、新築時のスラブ２２に予め孔７８を形成しているので、スラブ２２の強度が確保される。
【００４８】
なお、孔７８の位置は、図２に示すように、１階住戸１６の略中央部に形成することに限らず、例えば、図３に示すように、中央部から外れた位置に形成しても良い。図３に示す例においても、リニューアル時において、新たにサイホン排水管７６を設置すれば、新たな水廻り器具７４を室内の自由な位置に配置すること、即ち、フリープランが実現可能となる。因みに、図３に示す例においても、孔７８から半径Ｌ３の円内であれば、新たな水廻り器具７４を設置できる。
【００４９】
本実施形態では、予め形成しておいた孔７８が地下ピット１４の空間と１階住戸１６の床下の空間とを連通している状態であったが、後から簡単に竪管７６Ｂを挿通できれば良く、孔７８を取り外し可能な蓋、薄いコンクリート等で塞いでも良い。例えば、図４に示すように、孔７８の上端側、及び下端側を薄いモルタル８０で塞ぎ、中間部に砂等の耐火材８２を充填する構造としても良い。竪管７６Ｂを挿通する際、薄いモルタル８０の破壊は容易であり、簡単に孔７８を貫通させることができる。
【００５０】
［第２の実施形態］
次に、図５を用いて、本発明の第２の実施形態に係る建築物構造１１について説明する。なお、第１の実施形態と同一構成には同一符号を付し、その説明は省略する。図５に示すように、本実施形態では、竪管７６Ｂの上端に、回転継手８４が設けられている。回転継手８４は、下方に延びる第１の接続部８６と、水平方向に延びる第２の接続部８８とを備え、第１の接続部８６に竪管７６Ｂが接続され、第２の接続部８８に横引き管７６Ａが接続される。また、第２の接続部８８は、第１の接続部８６の軸心８６Ｃ周りに３６０度回転可能となっている。本実施形態では、竪管７６Ｂと孔７８との間に充填材９２が詰められており、竪管７６Ｂがスラブ２２に固定されている。
【００５１】
本実施形態では、サイホン排水管７６の横引き管７６Ａが回転継手８４を介して竪管７６Ｂに接続しているため、横引き管７６Ａを曲げることなく、横引き管７６Ａの水平方向の向きを自由かつ、容易に変更できる。
【００５２】
また、本実施形態では、横引き管７６Ａの向きを変えるために横引き管７６Ａを曲げる必要が無くなるので、新たな水廻り器具７４と竪管７６Ｂとを直線状の横引き管７６Ａで最短距離で連結することができる。このため、横引き管７６Ａの抵抗を無用に増やすことがない。
【００５３】
本実施形態では、横引き管７６Ａと竪管７６Ｂとを回転継手８４を介して接続したが、曲げが容易なフレキシブル管を介して横引き管７６Ａと竪管７６Ｂとを接続しても良い。フレキシブル管（図示省略）を曲げることで、横引き管７６Ａを曲げることなく、横引き管７６Ａの水平方向の向きを自由かつ、容易に変更できる。
【００５４】
［第３の実施形態］
次に、図６、及び図７を用いて、本発明の第３の実施形態に係る建築物構造１１について説明する。なお、第１の実施形態と同一構成には同一符号を付し、その説明は省略する。
本実施形態に係る建築物構造では、図６、及び図７に示すように、スラブ２２に形成された孔７８に、サイホン排水管９４、及びサイホン排水管９６が挿通されている。本実施形態では、孔７８が、１階住戸１６の中央部に形成されている。なお、サイホン排水管９４の外周面、及びサイホン排水管９６の外周面と孔７８の内周面との間の隙間は、モルタル８０等が充填されている。
【００５５】
サイホン排水管９４は、竪管９４Ｂが排水管３６の継手３８に接続されており、横引き管９４Ａが水廻り器具５０に接続されている。
一方、サイホン排水管９６は、リニューアル時等に用いる予備のサイホン排水管であり、気流や、臭気等の通過を防止する目的に、上流側端部、及び下流側端部の少なくとも一方は、図示しないキャップで閉塞されるのが望ましい。
【００５６】
サイホン排水管９４は、横引き管９４Ａが竪管９４Ｂの上端から図面左側へ向いており、横引き管９４Ａの長さが、竪管９４Ｂから１階住戸１６の図面左側の隅までの距離よりも大とされたＬ３とされている。図７の２点鎖線で示すように、横引き管９４Ａを所定の曲げで敷設した場合、横引き管９４Ａの上流側端部は、図７の右上がりの斜線が記載された１階住戸１６の略左半分の領域Ａに到達可能となっている。新築時において、サイホン排水管９４に接続される水廻り器具５０が領域Ａ内に配置されるため、横引き管９４Ａが竪管９４Ｂの上端から図面左側へ向いている。
【００５７】
一方、予備のサイホン排水管９６は、横引き管９６Ａが竪管９６Ｂの上端から図面右側に向いており、横引き管９６Ａの長さが、竪管９６Ｂから１階住戸１６の図面右側の隅までの距離よりも大とされたＬ４とされている。横引き管９６Ａはスラブ２２上である程度湾曲可能であり、横引き管９６Ａの上流側端部は、図７の左上がりの斜線が記載された１階住戸１６の略右半分の領域Ｂにも到達可能となっている。
なお、本実施形態では、横引き管９６Ａの長さが、予め、竪管９６Ｂから１階住戸１６の図面右側の隅までの距離よりも大とされたＬ４としたが、本発明はこれに限らず、新築時に予備のサイホン排水管９６が予めスラブ２２に形成された孔７８に挿通されていれば良く、図６に示すように、横引き管９６Ａは、端部９６ＡＥまでの長さがＬ４よりも短いＬ５であってもよい。なお、横引き管９６Ａの長さＬ５は特に制限は無く任意である。リニューアル時に予備のサイホン排水管９６を用いる場合であって、新たに配置する水廻り器具まで予備のサイホン排水管９６が到達しない場合には、長さＬ５とした横引き管９６Ａに新たな排水管を接続して延長すれば良い。
【００５８】
このように、本実施形態の排水構造１１では、１階住戸１６のスラブ２２の孔７８に、新築時に用いるサイホン排水管９４、及びリニューアル時等に用いることのできる予備のサイホン排水管９６が挿通されているので、サイホン排水管９４が届かない位置に水廻り器具５０、または新たな水廻り器具を配置する場合には、予備のサイホン排水管９６の竪管９６Ｂを排水管３６の継手３８に接続し、予備のサイホン排水管９６の横引き管９６Ａを水廻り器具５０、または新たな水廻り器具に接続することで、水廻り器具５０、または新たな水廻り器具を１階住戸１６の室内の自由な位置に配置すること、即ち、フリープランが実現可能となる。
【００５９】
なお、本実施形態では、新築時に、コンクリート壁５６に形成された横孔５８を貫通したサイホン排水管５２を用いなかったが、横孔５８を貫通したサイホン排水管５２を用いても良い。また、本実施形態ではスラブ２２の孔７８に、２本のサイホン排水管を挿通しておいたが、３本以上のサイホン排水管を挿通させておいても良い。
【００６０】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００６１】
上記実施形態では、本発明の建築物構造を集合住宅に適用した例を説明したが、本発明はこれに限らず、本発明の建築物構造は、商業施設等、集合住宅以外の建築物に適用することもできる。
【００６２】
例えば、水廻り器具６４が台所シンクである場合、水廻り器具６４にディスポーザが取り付けられていても良い。上記実施形態の排水構造１１では、１階、２階に関わらず、十分な一定時間当たりの流量を有しているので、ディスポーザから排出される粉砕物を排水と共に確実に排水立て管２４に排出することができる。
【００６３】
上記実施形態では、リニューアル前の１階住戸１６においては、スラブ２２の孔７８を使用せず、コンクリート壁５６に形成された横孔５８を挿通させたサイホン排水管５２を用いてパイプスペース２０の近傍に配置された水廻り器具５０の排水を行ったが、図８に示すように、新築時に、横孔５８を図示しない蓋等で塞いでおき、スラブ２２の孔７８を挿通させたサイホン排水管５２を用いて水廻り器具５０の排水を行う事もできる。
上記実施形態では、１階住戸１６のスラブ２２に形成される孔７８の数が１個であったが、必要に応じて複数個設けることもできる。孔７８を予め複数形成しておくことで、１階住戸１６が広い面積を有していても十分に対応することができる。
【００６４】
上記実施形態では、１階住戸１６が最下居住階であったが、最下居住階は１階以外の場合もある。
なお、地下ピット１４は居住空間ではないため、例えば、１ｍ程度の高さ等、高さは必要最小限あれば良い。
上記実施形態では、最下居住階である１階住戸１６の下側のスペースが地下ピット１４であったが、最下居住階の下側のスペースは、駐車場、物置等、地下ピット１４以外の場合もある。
【符号の説明】
【００６５】
１０…躯体、２２…スラブ（第１のスラブ、第２のスラブ）、６４…水廻り器具、６６Ａ…（横引き管）第１の横引き管、６６Ｂ…竪管（第１の竪管）、５２Ａ…横引き管（第２の横引き管）、７６Ｂ…竪管（第２の竪管）、７８…孔（貫通可能部）、８４…回転継手（向き変更可能部）
【図１】
0006738130.tif 000002
【図２】
0006738130.tif 000003
【図３】
0006738130.tif 000004
【図４】
0006738130.tif 000005
【図５】
0006738130.tif 000006
【図６】
0006738130.tif 000007
【図７】
0006738130.tif 000008
【図８】
0006738130.tif 000009